(57)【特許請求の範囲】
【請求項１】
底壁と、上方ほど拡がるテーパ形状に形成された各一対の側壁とから有底四角箱状に形成されるとともに、一方の対向する側壁の両外側部に上方ほど拡がるテーパ状のネスティングポケットが突設された容器本体を備え、
下方に位置する容器本体の収容空間内に上方に位置する容器本体の底部を挿入することにより、複数の容器本体をネスティング状態で上下に積み重ねられるように構成した運搬用容器であって、
一方の対向する側壁の上端縁に沿って一対のスライド板を回動可能に軸着するとともに、容器本体の上端部に、前記スライド板を容器本体の内側方に配向させつつ支持するための水平支持部を容器本体の外側方に向かって水平に延びるフランジ状に設け、前記ネスティングポケットの上部開口部を前記水平支持部に支持されたスライド板によって覆うように構成し、
前記水平支持部に支持されたスライド板の上面又は容器本体の下面に、前記スライド板が軸着された側壁と平行に延びるガイド溝又はガイド突部を設け、上方に位置する容器本体の下面が下方に位置する容器本体のスライド板に沿ってガイドされながらスライドするように構成し、
前記水平支持部に支持されたスライド板における容器本体の内側方への突出長さは、前記水平支持部の幅と略同等であることを特徴とする運搬用容器。
【発明の詳細な説明】
【０００１】
【発明の属する技術分野】
この発明は、底壁及び側壁から有底四角箱状に形成され、内部に収容物を収容するための収容空間が設けられた運搬用容器に関するものである。より詳しくは、複数の容器本体をネスティング状態で上下に積み重ねることができるとともに、スタッキング状態で上下に積み重ねることができるように構成された運搬用容器に関するものである。
【０００２】
【従来の技術】
従来より、この種の運搬用容器としては、特開平９−４８４３７号公報に開示されている箱型容器が知られている。この箱型容器は、空の容器を積み重ねる際には、上に位置する容器が下に位置する容器に嵌め込まれ、また、内容物が収納された容器を積み重ねる際には、上に位置する容器が下に位置する容器に嵌め込まれないように構成されている。さらに、この箱型容器は、各側壁の両隅部付近に形成されたポケットと支脚との組合わせからなるポケット・支脚部間に位置するフランジに、支脚の突出部が挿入可能な凹溝が形成されている。加えて、前記凹溝は、フランジの土手部とフランジの平坦部に突設された凸条とにより形成されている。
【０００３】
そして、この箱型容器は、各側壁の両隅部付近に形成されたポケット・支脚部間に位置するフランジにのみ、支脚の突出部が挿入可能な凹溝が形成されていることから、長側壁或いは短側壁のいずれの方向からのスタッキングにおいてもスタッキングを行うことができるようになっている。すなわち、スタッキングさせる際には、上に位置する容器の支脚が、下に位置する容器の凹溝を形成する凸条に邪魔されることがないように構成されている。
【０００４】
【発明が解決しようとする課題】
ところが、前記従来の箱型容器では、空の容器を積み重ねる場合（ネスティング）と、内容物が収納された容器を積み重ねる場合（スタッキング）とのそれぞれのケースにおいて、それぞれ異なるポケットと支脚とを組合わせる必要があった。すなわち、この容器は、上又は下に位置する一方の容器を平面的に１８０°回転させてその向きを逆転させることにより、ネスティング状態での積み重ねからスタッキング状態での積み重ね、又はスタッキング状態での積み重ねからネスティング状態での積み重ねに変更されるようになっている。そして、この箱型容器においては、複数の容器を上下に積み重ねる際には、常に上下に位置する容器の向き、すなわち上下の容器がいずれも同じ向きであるか、それとも相互に逆転した向きであるかをそれぞれ確認しながら積み重ねる作業を行う必要があった。
【０００５】
このため、この箱型容器は、上記凹溝を特別に設けることにより、長手又は短手のいずれの方向からでもスタッキングさせることができるようになっているにも関わらず、上下に位置する容器の向きを確認するために余分な時間が取られてしまい、積み重ね作業の作業性を顕著に高めることができなかった。さらに、万一、上下に位置する容器の向きを間違えてしまった場合には、下に位置する容器内の内容物が上に位置する容器の底部により押し潰されてしまうおそれが極めて高かった。
【０００６】
この発明は、上記のような従来技術に存在する問題点に着目してなされたものである。その目的とするところは、複数の容器本体をスタッキング状態で上下に積み重ねる際の作業性を容易に高めることができるように構成された運搬用容器を提供することにある。
【０００７】
【課題を解決するための手段】
上記の目的を達成するために、請求項１に記載の発明の運搬用容器は、底壁と、上方ほど拡がるテーパ形状に形成された各一対の側壁とから有底四角箱状に形成されるとともに、一方の対向する側壁の両外側部に上方ほど拡がるテーパ状のネスティングポケットが突設された容器本体を備え、下方に位置する容器本体の収容空間内に上方に位置する容器本体の底部を挿入することにより、複数の容器本体をネスティング状態で上下に積み重ねられるように構成した運搬用容器であって、一方の対向する側壁の上端縁に沿って一対のスライド板を回動可能に軸着するとともに、容器本体の上端部に、前記スライド板を容器本体の内側方に配向させつつ支持するための水平支持部を容器本体の外側方に向かって水平に延びるフランジ状に設け、前記ネスティングポケットの上部開口部を前記水平支持部に支持されたスライド板によって覆うように構成し、前記水平支持部に支持されたスライド板の上面又は容器本体の下面に、前記スライド板が軸着された側壁と平行に延びるガイド溝又はガイド突部を設け、上方に位置する容器本体の下面が下方に位置する容器本体のスライド板に沿ってガイドされながらスライドするように構成し、前記水平支持部に支持されたスライド板における容器本体の内側方への突出長さは、前記水平支持部の幅と略同等であることを特徴とするものである。
【００１１】
【発明の実施の形態】
以下、この発明を具体化した実施形態を図面に基づいて詳細に説明する。
図１に示すように、運搬用容器を構成する容器本体１１は、合成樹脂により上面を開口した有底長四角箱状に形成されている。この容器本体１１は、長四角板状に形成された底壁１２と、その底壁１２の周縁に沿って立設されるとともに上方ほど僅かに拡がるテーパ形状に形成された各一対の長側壁１３及び短側壁１４とを備えている。この容器本体１１は、内部の収容空間内に機械部品等の収容物を収容して運搬することができるとともに、同収容空間内に別の容器本体１１の底部を挿入することにより、複数の容器本体１１をネスティング状態で小さくコンパクトに積み重ねることができるように構成されている。
【００１２】
対向する一対の長側壁１３の両側部には、側面長四角形状、平断面コ字状に形成された脚部２１が上下方向に延びるように設けられており、複数の容器本体１１をスタッキング状態で上下に積み重ねる際の支持脚として機能するように構成されている。この脚部２１は、長側壁１３を構成する壁面を平断面コ字状に突出させることにより構成されており、容器本体１１の内方側は平面長四角形状に形成されたネスティングポケット２１ａとなっている。また、この脚部２１を構成する各側壁は、上方ほど僅かに拡がるテーパ形状に形成されている。
【００１３】
各脚部２１（ネスティングポケット２１ａ）は、図２（ｂ）に示されるように容器本体１１を平面又は底面から見たとき、その中心点Ｏを中心として平面的に１８０°回転させることにより、容器本体１１の対向するコーナ部に設けられた脚部２１とそれぞれ一致した位置に配置されるように構成されている。そして、この脚部２１は、複数の容器本体１１をネスティング状態で上下に積み重ねる際には、上方に位置する脚部２１（外側面）が下方に位置する脚部２１のネスティングポケット２１ａ内に係入されるように構成されている。
【００１４】
図１〜図３に示すように、この脚部２１を構成する底壁２１ｂの下面は、容器本体１１の底壁１２の下面よりも僅かに上方に位置するように構成されている。さらに、これら底壁２１ｂの下面外端部には、その底壁２１ｂの外側縁に沿って延びるガイド突部としての四角柱状のガイド突条２２が垂下されている。これらガイド突条２２は、長側壁１３の長手方向と平行に延びるように設けられている。なお、前記ガイド突条２２の上下方向の高さは、好ましくは１〜５ｍｍ、より好ましくは２〜４ｍｍであるとよい。また、図２（ｂ）及び図３に示すように、これら脚部２１の下面には、前記ガイド突条２２と容器本体１１の底壁１２との境界にそれぞれ段差が形成されており、これらの段差によってガイド突条２２の内側方にはガイド溝としての凹溝２３が形成されている。
【００１５】
図１に示すように、対向する一対の短側壁１４の上端部には、長四角板状に形成された第１上部フランジ３１及び第２上部フランジ３２が外側方に延びるように突設されている。第１上部フランジ３１は、短側壁１４の上端縁全体に渡って水平方向に延びるように突設され、第２上部フランジ３２は、第１上部フランジ３１のやや下方に位置する短側壁１４の外側面上端部から外側方（水平方向）に延びるように突設されている。
【００１６】
対向する一対の長側壁１３の外側面上端部には、第３上部フランジ３３が外側方（水平方向）に延びるように突設されている。この第３上部フランジ３３は、前記第２上部フランジ３２と同一の水平面内に延びるように設けられているうえ、長側壁１３の中央部及び前記脚部２１が設けられた領域を除く長側壁１３の外側面全体に渡って設けられている。
【００１７】
図１及び図３に示すように、長側壁１３の上端面は、容器本体１１の外側方に向かって水平方向に延びるフランジ状に形成されている。この長側壁１３の上端面は、短側壁１４の第１上部フランジ３１の上面よりも僅かに低い位置に設けられた水平支持部としての段部４０となっている。この段部４０の外端部には、横円筒状に形成された第１軸受け部４１が所定間隔をおいて外側方に延びるように突設されているうえ、それら第１軸受け部４１の中心部を通るように水平方向に延設された回動軸４２が設けられている。なお、前記回動軸４２の両端部は、前記第１上部フランジ３１と第２上部フランジ３２との間の短側壁１４の壁面に固定されている。
【００１８】
さらに、長側壁１３の上端部には、長四角板状に形成されたスライド板４３が長側壁１３の上端縁に沿って回動可能となるように軸着されている。すなわち、このスライド板４３の基端部には、前記第１軸受け部４１と同形状の横円筒状に形成された第２軸受け部４４がスライド板４３の短手方向に沿って延びるように突設されている。これら第２軸受け部４４の中心部には、前記第１軸受け部４１によって被覆されていない部分の回動軸４２が挿通されている。そして、スライド板４３は、前記回動軸４２を軸にして容器本体１１の内方から外方へと回動可能となるように軸着されている。
【００１９】
また、長側壁１３の上端部外側面には、前記スライド板４３を容器本体１１の外方に回動させたとき、そのスライド板４３を上下方向に延びるように配置した状態で収容することができるように構成された収容凹部４５が設けられている。この収容凹部４５は、長側壁１３の外側面から外側方に延びるように突設された第１軸受け部４１と第３上部フランジ３３との間に設けられている。すなわち、この収容凹部４５は、第１軸受け部４１及び第３上部フランジ３３の先端部に対して相対的に陥没するように形成されている。さらに、この収容凹部４５内で上下方向に延びるように配置されたスライド板４３の外側面は、第１軸受け部４１及び第３上部フランジ３３の先端部と面一となるように構成されている。
【００２０】
また、前記スライド板４３は、容器本体１１の内方に回動されたとき、前記段部４０の上面と当接されて水平方向に延びるように支持されるように構成されている。この段部４０と当接された状態のスライド板４３の上面中央部には、平面長四角形状に形成されたガイド溝４６が長側壁１３と平行に延びるように凹設されている。このガイド溝４６の両端部は、長側壁１３の両端部に突設された左右の脚部２１のガイド突条２２の真上位置に設けられている。さらに、このガイド溝４６の上面とスライド板４３の上端面との間には、両面間の段差を滑らかに繋ぐように傾斜した傾斜面４６ａが形成されている。加えて、前記スライド板４３の上端面に対するガイド溝４６の穿設深さは、前記ガイド突条２２の高さ未満となるように形成されている。
【００２１】
また、スライド板４３の先端縁上部には、前記ガイド溝４６を凹設することによって略四角柱状に突出されたガイド突部としての第２ガイド突条４６ｂが長側壁１３と平行に延びるように設けられている。図３に示すように、段部４０の上面と当接された状態のスライド板４３の先端縁（第２ガイド突条４６ｂ）は、ガイド突条２２の真上位置よりも容器本体１１の内側方に位置するように構成されている。さらに、前記第２ガイド突条４６ｂは、長側壁１３の内側部下端縁の真上位置よりも容器本体１１の外側方に位置するように構成されているのが好ましく、長側壁１３の内側部上端縁の真上位置よりも容器本体１１の外側方に位置するように構成されているのがより好ましい。また、スライド板４３の上端面の高さは、短側壁１４（第１上部フランジ３１）の上端面の高さに対して、好ましくは−５〜＋５ｍｍ、より好ましくは−５〜±０ｍｍ、さらに好ましくは−３〜±０ｍｍであるとよい。
【００２２】
次に、上記運搬用容器の作用について説明する。
図１に示されるように、この運搬用容器の容器本体１１をスタッキング状態で上下に積み重ねる際には、まず、下方に位置する容器本体１１の対向する一対のスライド板４３を容器本体１１の内方に回動させて段部４０の上面に載置させる。次に、上下の容器本体１１の向きを全く気にかける必要なく、上下の容器本体１１の両側部（長側壁１３）を上下にほぼ揃えた状態で、上方に位置する容器本体１１を下方に位置する容器本体１１の上端部に載置させる。このとき、図３に示されるように、上方に位置する容器本体１１下面のガイド突条２２は、下方に位置する容器本体１１のスライド板４３の上面（ガイド溝４６）に係合しながら載置され、上下の容器本体１１がスタッキング状態で積み重ねられる。
【００２３】
なお、前記積み重ねの際に上下の容器本体１１の両端部（短側壁１４）が上下に揃っていなかった場合でも、上方に位置する容器本体１１のガイド突条２２を、下方に位置する容器本体１１のスライド板４３のガイド溝４６内で係合状態を維持したまま容易にスライドさせることができる。このとき、前記ガイド突条２２とガイド溝４６との係合関係により、上方に位置する容器本体１１のスライド方向が適正な方向にガイドされ、上下の容器本体１１の両側部（長側壁１３）を上下に揃えつつ、それら容器本体１１の両端部（短側壁１４）を上下に揃えて配置するのが容易に行われる。さらにこのとき、上方に位置する容器本体１１のガイド突条２２は、下方に位置する容器本体１１のスライド板４３上において、ガイド溝４６の両端部に形成された傾斜面４６ａにより、前記適切な位置を越えてスライドし難くなっている。
【００２４】
このスタッキング状態で積み重ねられた複数の容器本体１１は、上方に位置する容器本体１１のガイド突条２２が、下方に位置する容器本体１１のガイド溝４６と係合されているうえ、そのガイド溝４６の周縁部と当接可能な状態で配置されている。さらに、上方に位置する容器本体１１の側壁１３，１４下端部が、下方に位置する容器本体１１のスライド板４３の先端縁及び短側壁１４の上端縁（第１上部フランジ３１）と当接可能な状態で配置されている。そして、このスタッキング状態で積み重ねられた運搬用容器を運搬する際には、運搬時の振動や衝撃等が加えられても、上方に位置する容器本体１１が下方に位置する容器本体１１の上端部からずれたり落下したりし難く、前記スタッキング状態が容易に維持される。また、前記ガイド突条２２とガイド溝４６との係合関係は、前記スタッキング状態で上下に積み重ねられた複数の容器本体１１を分離してその状態を解除する際にも、容器本体１１のスライド方向を適正な方向にガイドする機能を発揮する。
【００２５】
また、図１に示されるように、複数の容器本体１１をスタッキング状態で上下に積み重ねたとき、上下の容器本体１１の脚部２１がそれぞれ上下に揃った位置に配置されている。すなわち、上方に位置する脚部２１は、スライド板４３を挟んで下方に位置する脚部２１の上方（真上）位置に載置されている。このとき、上方に位置する脚部２１は、下方に位置する脚部２１（ネスティングポケット２１ａ）の上部開口部を跨ぐように設けられた段部４０上に架設されたスライド板４３上に載置されている。前記ネスティングポケット２１ａの上部開口部はあまり大きくは開口されておらず、長手方向及び短手方向のスパンはともに短く形成されている。このため、複数の容器本体１１を上下に多段積みしたときには、短いスパンの凹凸形状（平断面コ字状）に形成された脚部２１が上下方向に延びる補強リブ様の役割を果たし、スライド板４３にかかる荷重を著しく高い強度で受け止めることができる。
【００２６】
一方、この運搬用容器の容器本体１１をネスティング状態で小さくコンパクトに積み重ねる際には、まず、下方に位置する容器本体１１の対向する一対のスライド板４３を容器本体１１の外方に回動させて収容凹部４５内に収容させる。次に、上下の容器本体１１の向きを全く気にかける必要なく、上下の容器本体１１を上下にほぼ揃えた状態で、上方に位置する容器本体１１の底部を下方に位置する容器本体１１の内部収容空間内に挿入する。
【００２７】
このとき、上方に位置する容器本体１１の第２上部フランジ３２の下面が下方に位置する容器本体１１の第１上部フランジ３１の上面と当接されるとともに、対応する底壁１２及び側壁１３、１４同士が近接した位置に配置され、極めて安定な状態で積み重ねられる。さらに、上方に位置する容器本体１１の脚部２１は、下方に位置する容器本体１１のネスティングポケット２１ａ内に収容され、上下の容器本体１１間のネスティング状態における「がたつき」が効果的に抑制されている。
【００２８】
上記実施形態によって発揮される効果について、以下に記載する。
・  実施形態の運搬用容器は、底壁１２と、その底壁１２の周縁に立設されるとともに上方ほど僅かに拡がるテーパ形状に形成された各一対の側壁１３，１４とから有底長四角箱状に形成された容器本体１１から構成されている。さらに、この運搬用容器は、対向する長側壁１３の上端縁に沿って長四角板状に形成された一対のスライド板４３が回動可能に軸着されているうえ、容器本体１１の上端部には、前記スライド板４３を容器本体１１の内側方に配向させつつ支持するための段部４０が設けられている。加えて、前記段部４０に支持されたスライド板４３の上面には、長側壁１３と平行に延びるガイド溝４６が凹設され、容器本体１１の下面にはガイド突条２２が垂下されている。
【００２９】
すなわち、この運搬用容器は、各側壁１３，１４が上方ほど拡がるテーパ形状に形成されていることから、下方に位置する容器本体１１の収容空間内に上方に位置する容器本体１１の底部を挿入することにより、複数の容器本体１１をネスティング状態で上下に積み重ねることができる。さらに、この運搬用容器は、スライド板４３が段部４０上に載置されていない状態では、複数の容器本体１１をネスティング状態でしか積み重ねることができないようになっている。このため、ネスティング状態での積み重ね作業においては、上下の容器本体１１の向きを全く気にする必要がないことから、ネスティング状態での積み重ね作業の作業性を容易に高めることができる。
【００３０】
さらに、この運搬用容器は、複数の容器本体１１をスタッキング状態で上下に積み重ねる際に、ガイド溝４６とガイド突条２２との係合関係により、上方に位置する容器本体１１を下方に位置する容器本体１１のガイド溝４６に沿って適正な方向にガイドしながらスライドさせることができる。このため、複数の容器本体１１をスタッキング状態で上下に積み重ねる際の作業性を著しく容易に高めることができる。また、スタッキング状態で積み重ねられた容器本体１１を分離する際にも、上述のように上下の容器本体１１間を適正な方向に滑らかにスライドさせることができることから、その作業性を容易に向上させることができる。
【００３１】
加えて、この運搬用容器は、スライド板４３を段部４０上に載置することによりネスティング状態での積み重ねが防止されるようになっていることから、スタッキング状態で積み重ねる際に上下の容器本体１１の向きを全く気にする必要がない。このため、この運搬用容器は、スタッキング状態で上下に積み重ねる際には、上下の容器本体１１の向きを気にするために費やされる手間と時間を省くことができることから、積み重ね作業の作業性を容易に向上させることができる。さらに、収容物が加わって重量が増した上方に位置する容器本体１１を持ち上げながら向きを逆転させる必要がないことから、その積み重ね作業の作業性をより一層顕著に高めることができる。
【００３２】
一方、前記従来の箱型容器では、スタッキング及びネスティングのいずれの状態でも上下に積み重ね可能に構成するために、著しく多数のポケット及び支脚を設ける必要があった。これに対し、本実施形態の運搬用容器は、上下の容器本体１１の向きを気にすることなくスタッキング及びネスティングのいずれの状態でも容易に積み重ねることができるうえ、ポケットや支脚を設ける必要がないことから著しく簡単な構成とすることが可能である。
【００３３】
・  この運搬用容器は、対向する一対の長側壁１３の外側部に、底壁１２の中心点Ｏを中心とする点対称位置に設けられるとともに、上方ほど僅かに拡がるテーパ形状に形成された各一対のネスティングポケット２１ａ（脚部２１）が突設されている。さらに、それらネスティングポケット２１ａの上部開口部が段部４０に支持されたスライド板４３によって覆われるように構成されているうえ、前記ガイド溝４６の真下に位置するネスティングポケット２１ａの底壁２１ｂ下面にガイド突条２２が垂下されている。
【００３４】
このため、この運搬用容器は、ネスティングポケット２１ａを設けることによって、容器本体１１の下面外端部を長側壁１３の下端部よりも外側方に突出した位置に設けることができる。そして、その外側方に突出した容器本体１１の下面と下方に位置するスライド板４３とを係合させることによって、上方に位置する容器本体１１全体を下方に位置する長側壁１３の上端部の真上又はそれに極めて近接した位置で支持することができる。従って、上方に位置する容器本体１１の荷重がスライド板４３を介して下方に位置する容器本体１１の長側壁１３に伝わりやすくなり、スライド板４３のみに無理な荷重がかかるのを防止することができる。
【００３５】
さらにこのとき、前記外側方に突出した位置である脚部２１の底壁２１ｂ下面にガイド突条２２を設けることによって、そのガイド突条２２の真上位置にネスティングポケット２１ａの上部開口部が位置するように構成するのが極めて容易となる。このとき、各ネスティングポケット２１ａの両側方（長側壁１３に沿った方向）に段部４０を設けるのが容易となり、その段部４０の真上にガイド溝４６を設けることができる。その結果、複数の容器本体１１をスタッキング状態で上下に積み重ねる際には、上方に位置する容器本体１１のガイド突条２２が、下方に位置する容器本体１１の段部４０と上下に揃った位置に配置されることから、より大きな荷重を受け止め得る構造を極めて容易に形成させることができる。
【００３６】
また、この運搬用容器は、前記ネスティングポケット２１ａの底壁２１ｂ下面に、容器本体１１の底壁１２外側縁とガイド突条２２との間に凹溝２３が設けられている。このため、複数の容器本体１１をスタッキング状態で上下に積み重ねる際には、前記ガイド溝４６とガイド突条２２との係合関係に加えて、スライド板４３の先端部上端縁と凹溝２３との係合関係が付加的に機能し、上方に位置する容器本体１１のスライドガイド機能をより一層高めることが容易である。
【００３７】
・  この運搬用容器は、長側壁１３の外側部にスライド板４３を収容するための収容凹部４５を設けるとともに、その収容凹部４５内に収容されたスライド板４３の外側面が収容凹部４５の外端部（第３上部フランジ３３及び第１軸受け部４１）と面一となるように構成されている。このため、この運搬用容器は、複数の容器本体１１をネスティング状態で上下に積み重ねたときの外観を著しく容易に向上させることができる。さらに、スライド板４３を収容凹部４５内に収容したとき、誤って手や足がスライド板４３に当たってしまった場合でも、スライド板４３が容易に回動されたりし難くなることから、回動軸４２の破損を極めて効果的に防止することができる。特に、前記第３上部フランジ３３は、スライド板４３の下端縁に沿って延びるように形成されていることから、回動軸４２の破損防止効果は著しく高い。
【００３８】
なお、本実施形態は、次のように変更して具体化することも可能である。
・  容器本体１１を図４（ａ）及び（ｂ）に示されるように構成すること。
すなわち、この容器本体１１は、上記実施形態における脚部２１及び段部４０を省略し、対向する一対の長側壁１３の壁面全体が平坦面によって構成されているうえ、ガイド突条２２及びガイド溝４６も省略されている。さらに、スライド板４３の両端部が対向する一対の短側壁１４の上端部を覆うように形成されているうえ、対向する一対の第１上部フランジ３１の両端部には、その上面内側部を平面略四角形状に凹設することによって水平支持部としての第２段部５１が設けられている。なお、この第２段部５１の上面の高さは、上記実施形態の段部４０の上面と同じ高さになっている。
【００３９】
一方、長側壁１３の下方に位置する底壁１２の下面両側部には、長側壁１３と平行に延びる段差を形成することにより、その段差の外側方位置にガイド溝としての第２ガイド溝５２が所定深さ凹設されている。なお、この第２ガイド溝５２の穿設深さは、好ましくは１〜５ｍｍ、より好ましくは２〜４ｍｍであるとよい。
【００４０】
このように構成した場合、スライド板４３を容器本体１１の内方に回動させ、そのスライド板４３の両端部下面を第２段部５１の上面に載置することによって、スライド板４３を水平方向に支持することができる。さらに、この運搬用容器は、下方に位置する容器本体１１のスライド板４３の先端縁と、上方に位置する容器本体１１の第２ガイド溝５２とを係合させることができるとともに、前記上方に位置する容器本体１１を前記スライド板４３に沿ってガイドしながらスライドさせることが可能である。
【００４１】
・  前記図４（ａ）及び（ｂ）に示される容器本体１１において、第２ガイド溝５２を省略して底壁１２の下面全体を平坦面によって構成するとともに、スライド板４３の先端部一側面に、図４（ａ）に２点鎖線で示されるように長側壁１３と平行に延びるガイド溝としての第３ガイド溝５３を凹設すること。なお、この第３ガイド溝５３の両端部は、底壁１２のコーナ部の真上位置まで延設されている。このように構成した場合、下方に位置する容器本体１１の第３ガイド溝５３と、上方に位置する容器本体１１の底壁１２両側縁とを係合させることができるとともに、前記上方に位置する容器本体１１を前記スライド板４３に沿ってガイドしながらスライドさせることが可能である。
【００４２】
・  前記図４（ａ）及び（ｂ）に示される容器本体１１において、第２ガイド溝５２を省略して底壁１２の下面を平坦面によって構成するとともに、スライド板４３に上記実施形態と同様のガイド溝４６を設けること。さらに、前記ガイド溝４６の両端部の真下に位置する底壁１２の下面外端部には、図４（ｂ）に２点鎖線で示されるような各一対のガイド突条２２を垂下させること。また、このガイド突条２２の代わりに、長側壁１３に沿って設けられた一対のガイド突条２２間を１本に連結させた四角柱状のガイド突条、又はそのガイド突条の両端部を容器本体１１のコーナ部まで延設させたガイド突条としてもよい。
【００４３】
・  ガイド溝４６を省略してスライド板４３の一側面（上面）を平坦面によって構成するとともに、そのスライド板４３の先端部上面に、長側壁１３と平行に延びる突条（第２ガイド突条４６ｂ）を突設させてもよい。
【００４４】
・  ガイド溝４６を省略してスライド板４３の一側面（上面）を平坦面によって構成するとともに、そのスライド板４３の先端部上面及び基端部上面に、長側壁１３と平行に延びる一対の突条を突設させてもよい。なおこのとき、スライド板４３の上面には、ガイド溝としての溝状の構造物が形成される。
【００４５】
・  ガイド突条２２を丸棒状又は底面楕円形状に形成してもよい。或いは、ガイド突条２２の代わりに、半球状又は底面正方形状に形成されたガイド突部としての複数の突部を、底壁２１ｂの下面外側縁において、長側壁１３と平行に延びるように一列に並べながら垂下させるように構成してもよい。
【００４６】
・  容器本体１１の一方の短側壁１４に近接する対向する一対の脚部２１の位置を容器本体１１の中央寄りに移動させることにより、各脚部２１が、平面又は底面から見たとき、前記中心点Ｏを通って長側壁１３又は短側壁１４と平行に延びる中央線を挟んで線対称位置に設けられるように構成すること。さらに、前記各脚部２１に隣接する長側壁１３の外側部に、前記中心線を挟んで線対称位置となるように設けられた第２脚部を突設させること。さらに、前記脚部２１のポケット内には、第２脚部が収容可能となるように構成されている。
【００４７】
すなわち、この運搬用容器は、スライド板４３を収容凹部４５内に収容した状態で複数の容器本体１１を上下に積み重ねたとき、上下に隣接する容器本体１１を同じ向きにしたときにはネスティング状態で積み重ねられ、異なる向きにしたときにはスタッキング状態で積み重ねられるように構成されている。
【００４８】
このように構成した場合でも、脚部２１及び第２脚部の位置に関わりなく、スライド板４３によりそれらポケットの上部開口部が覆われることから、スタッキング状態で積み重ねる場合には、各容器本体１１の向きを全く気にする必要がない。
【００４９】
・  スライド板４３を対向する一対の短側壁１４の上端部に設けてもよい。また、スライド板４３を対向する各一対の長側壁１３及び短側壁１４の上端部に設けてもよい。
【００５０】
・  回動軸４２又はスライド板４３を、例えば繊維強化プラスチック（ＦＲＰ）や金属等の強度の高い材料によって構成すること。
さらに、前記実施形態より把握できる技術的思想について以下に記載する。
【００５１】
・  容器本体を有底長四角箱状に形成するとともに、前記ガイド溝又はガイド突部を容器本体の長手方向に延びるように設けたことを特徴とする運搬用容器。
【００５２】
・  前記水平支持部をスライド板の基端部から容器本体の内側方に延びるように設けられた段部により構成したことを特徴とする運搬用容器。
【００５３】
・  前記水平支持部を前記スライド板が軸着された側壁の上端縁から外側方に突設されたフランジ状の段部により構成したことを特徴とする運搬用容器。
【００５４】
・  前記ガイド溝の両端部に、ガイド溝の上面からスライド板の上面へと傾斜する傾斜面を形成したことを特徴とする運搬用容器。
【００５５】
・  前記ガイド突部の下端部を底壁の下端面と同じ高さ又は底壁の下端面よりも上方に位置するように構成したことを特徴とする運搬用容器。このように構成した場合、容器本体を地面又は床面上に載置したときにガイド突部が押し潰されないようにすることができる。
【００５６】
・  前記ガイド溝を前記スライド板が軸着された側壁の上端部の真上に位置するように設けたことを特徴とする運搬用容器。
【００５７】
・  前記スライド板を容器本体の内側方に配向させたとき、水平支持部の真上にガイド溝が位置するように構成したことを特徴とする運搬用容器。このように構成した場合、ガイド突部にかかる荷重を水平支持部により確実に受け止めることが可能となる。
【００５８】
・  前記ネスティングポケットの上部開口部の真下にガイド突部が位置するように構成したことを特徴とする運搬用容器。このように構成した場合、スライド板が水平支持部によって広い面積で支持されるように構成するのが容易となる。
【００５９】
【発明の効果】
以上詳述したように、この発明によれば、次のような効果を奏する。
請求項１に記載の発明の運搬用容器によれば、複数の容器本体をスタッキング状態で上下に積み重ねる際の作業性を容易に高めることができる。
【図面の簡単な説明】
【図１】  実施形態のスタッキング状態の運搬用容器を示す分解斜視図。
【図２】  （ａ）は実施形態の運搬用容器を示す平面図、（ｂ）は同じく底面図。
【図３】  図１の３−３線から見た運搬用容器を示す側断面図。
【図４】  （ａ）は実施形態以外の運搬用容器を示す平面図、（ｂ）は同じく底面図。
【符号の説明】
１１…容器本体、１２…底壁、１３…側壁及びスライド板が軸着された側壁としての長側壁、１４…側壁としての短側壁、２１ａ…ネスティングポケット、２２…ガイド突部としてのガイド突条、２３…ガイド溝としての凹溝、４０…水平支持部としての段部、４３…スライド板、４５…収容凹部、４６…ガイド溝、４６ｂ…ガイド突部としての第２ガイド突条、５１…水平支持部としての第２段部、５２…ガイド溝としての第２ガイド溝、５３…ガイド溝としての第３ガイド溝、Ｏ…中心点。
【図１】
0004047587.tif 000002
【図２】
0004047587.tif 000003
【図３】
0004047587.tif 000004
【図４】
0004047587.tif 000005